(57)【要約】【課題】  複数の記録媒体を装填可能な電子カメラにおいて、画像の種類または用途に応じた記録先の振り分けを自動的且つ適切に行う。【解決手段】  本発明の電子カメラは、被写体を撮像して画像データを生成する撮像部と、複数の記録媒体から画像データの記録先を選択可能な記録部と、振り分け部とを有する。記録部は、振り分け部が決定した記録媒体に画像データを記録する。振り分け部は、電子カメラの設定に関する情報に基づいて、或いは、画像データの評価指標に基づいて、或いは、被写体の状態に関する情報に基づいて、或いは、記録媒体の状態または属性に関する媒体情報と記録画像サイズとに基づいて、画像データの記録先を自動的に決定する。従って、複数の記録媒体を装填可能な電子カメラにおいて、画像の種類または用途に応じた記録先の振り分けを自動的且つ適切に行うことができる。【選択図】      図１
2006033268.tif 000002
【特許請求の範囲】
【請求項１】
被写体を撮像して画像データを生成する撮像部と、
複数の記録媒体から前記画像データの記録先を選択可能な記録部と
を備えた電子カメラであって、
前記画像データの撮像時における電子カメラの設定に関する情報を判断基準として、前記画像データの記録先を複数の前記記録媒体の中から自動的に決定する振り分け部を有し、
前記記録部は、前記振り分け部が決定した前記記録媒体に前記画像データを記録する
ことを特徴とする電子カメラ。
【請求項２】
請求項１記載の電子カメラにおいて、
前記振り分け部は、撮像時に設定されている撮影モードを前記判断基準として用いる
ことを特徴とする電子カメラ。
【請求項３】
請求項１記載の電子カメラにおいて、
前記振り分け部は、撮像時に電子カメラ内のタイマが示す曜日を前記判断基準として用いる
ことを特徴とする電子カメラ。
【請求項４】
請求項１記載の電子カメラにおいて、
前記振り分け部は、撮像時に電子カメラ内のタイマが示す時間帯を前記判断基準として用いる
ことを特徴とする電子カメラ。
【請求項５】
請求項１記載の電子カメラにおいて、
前記振り分け部は、露出条件を前記判断基準として用いる
ことを特徴とする電子カメラ。
【請求項６】
被写体を撮像して画像データを生成する撮像部と、
複数の記録媒体から前記画像データの記録先を選択可能な記録部と
を備えた電子カメラであって、
前記画像データの評価指標に基づいて、前記画像データの記録先を複数の前記記録媒体の中から自動的に決定する振り分け部を有し、
前記記録部は、前記振り分け部が決定した前記記録媒体に前記画像データを記録する
ことを特徴とする電子カメラ。
【請求項７】
請求項６記載の電子カメラにおいて、
前記振り分け部は、前記画像データが示す画像の鮮鋭度に関する情報を前記評価指標として用いる
ことを特徴とする電子カメラ。
【請求項８】
被写体を撮像して画像データを生成する撮像部と、
複数の記録媒体から前記画像データの記録先を選択可能な記録部と
を備えた電子カメラであって、
前記画像データの撮像時における前記被写体の状態に関する情報を判断基準として、前記画像データの記録先を複数の前記記録媒体の中から自動的に決定する振り分け部を有し、
前記記録部は、前記振り分け部が決定した前記記録媒体に前記画像データを記録する
ことを特徴とする電子カメラ。
【請求項９】
請求項８記載の電子カメラにおいて、
前記振り分け部は、前記被写体を照明する光源の色温度を前記判断基準として用いる
ことを特徴とする電子カメラ。
【請求項１０】
被写体を撮像して画像データを生成する撮像部と、
複数の記録媒体から前記画像データの記録先を選択可能な記録部と
を備えた電子カメラであって、
複数の前記記録媒体の状態または属性に関する媒体情報と、前記画像データのデータ量に関する画像サイズ情報とに応じて、前記画像データの記録先を複数の前記記録媒体の中から自動的に決定する振り分け部を有し、
前記記録部は、前記振り分け部が決定した前記記録媒体に前記画像データを記録する
ことを特徴とする電子カメラ。
【請求項１１】
請求項１０記載の電子カメラにおいて、
前記振り分け部は、前記記録媒体の空き容量に関する情報を前記媒体情報として用いる
ことを特徴とする電子カメラ。
【請求項１２】
請求項１０記載の電子カメラにおいて、
前記振り分け部は、前記記録媒体にデータが書き込まれる際の書き込み速度に関する情報を前記媒体情報として用いる
ことを特徴とする電子カメラ。
【請求項１３】
請求項１０記載の電子カメラにおいて、
前記振り分け部は、前記記録媒体にデータが書き込まれる際の消費電力に関する情報を前記媒体情報として用いる
ことを特徴とする電子カメラ。
【請求項１４】
請求項１０〜請求項１３のいずれか１項記載の電子カメラにおいて、
前記振り分け部は、前記画像データの撮像時に設定される前記画像データの記録画素数と圧縮率の内少なくとも一方に基づいて、前記画像サイズ情報を設定する
ことを特徴とする電子カメラ。
【請求項１５】
請求項１０〜請求項１３のいずれか１項記載の電子カメラにおいて、
前記振り分け部は、記録の対象となる前記画像データのデータ量を前記画像サイズ情報として用いる
ことを特徴とする電子カメラ。
【発明の詳細な説明】
【技術分野】
【０００１】
本発明は電子カメラに関し、特に、記録媒体が複数ある場合の記録方法に関する。
【背景技術】
【０００２】
従来より、複数の記録媒体を装填可能な電子カメラが知られている。例えば、特許文献１の電子カメラでは、手動操作によりスライド移動可能なスロットカバーが２つのカードスロット上に設けられている。スロットカバーには、いずれかのカードスロットを露出させる開口部が設けられている。そして、スロットカバーの位置を検出することで、どちらのカードスロットが露出しているかを検知している。これにより、スロットカバーにより覆われたカードスロット内のカード型記録媒体は記録可能とし、開口が露出したカードスロット内のカード型記録媒体はアクセス不可能としている。
【特許文献１】特開２００１−１８５８７４号公報
【発明の開示】
【発明が解決しようとする課題】
【０００３】
特許文献１の電子カメラでは、どちらのカード型記録媒体に画像データを記録するかの選択は、ユーザが手動操作によりスロットカバーを移動させることで行う必要がある。即ち、従来の電子カメラは、複数の記録媒体のいずれかに対して記録可能であっても、画像の用途を考慮した上でどの記録媒体に記録すべきかを自動的に振り分ける概念がなかった。このため、一方の記録媒体には例えばプライベートな画像のみを記録し、他方には別の用途の画像を記録したい場合、ユーザは、記録の都度、どちらの記録媒体に記録するかを自分で選択する必要がある。従って、画像の用途に応じた記録先の振り分けを電子カメラが自動的に行い、ユーザの操作負担を軽減することが要望されていた。
【０００４】
本発明の目的は、複数の記録媒体を装填可能な電子カメラにおいて、画像の種類または用途に応じた記録先の振り分けを自動的且つ適切に行う技術を提供することである。
【課題を解決するための手段】
【０００５】
本発明の電子カメラは、被写体を撮像して画像データを生成する撮像部と、複数の記録媒体から画像データの記録先を選択可能な記録部とを有する。
請求項１の電子カメラは、以下の点を特徴とする。第１に、画像データの撮像時における電子カメラの設定に関する情報を判断基準として、画像データの記録先を複数の記録媒体の中から自動的に決定する振り分け部を有する。第２に、記録部は、振り分け部が決定した記録媒体に画像データを記録する。
【０００６】
請求項２の発明は、請求項１の電子カメラにおいて、撮像時に設定されている撮影モードを振り分け部が判断基準として用いることを特徴とする。
請求項３の発明は、請求項１の電子カメラにおいて、撮像時に電子カメラ内のタイマが示す曜日を振り分け部が判断基準として用いることを特徴とする。
請求項４の発明は、請求項１の電子カメラにおいて、撮像時に電子カメラ内のタイマが示す時間帯を振り分け部が判断基準として用いることを特徴とする。
【０００７】
請求項５の発明は、請求項１の電子カメラにおいて、振り分け部が露出条件を判断基準として用いることを特徴とする。
請求項６の電子カメラは、以下の点を特徴とする。第１に、画像データの評価指標に基づいて、画像データの記録先を複数の記録媒体の中から自動的に決定する振り分け部を有する。第２に、記録部は、振り分け部が決定した記録媒体に画像データを記録する。
【０００８】
請求項７の発明は、請求項６の電子カメラにおいて、画像データが示す画像の鮮鋭度に関する情報を振り分け部が評価指標として用いることを特徴とする。
請求項８の電子カメラは、以下の点を特徴とする。第１に、画像データの撮像時における被写体の状態に関する情報を判断基準として、画像データの記録先を複数の記録媒体の中から自動的に決定する振り分け部を有する。第２に、記録部は、振り分け部が決定した記録媒体に画像データを記録する。
【０００９】
請求項９の発明は、請求項８の電子カメラにおいて、被写体を照明する光源の色温度を振り分け部が判断基準として用いることを特徴とする。
請求項１０の電子カメラは、以下の点を特徴とする。第１に、複数の記録媒体の状態または属性に関する媒体情報と、画像データのデータ量に関する画像サイズ情報とに応じて、画像データの記録先を複数の記録媒体の中から自動的に決定する振り分け部を有する。第２に、記録部は、振り分け部が決定した記録媒体に画像データを記録する。
【００１０】
請求項１１の発明は、請求項１０の電子カメラにおいて、記録媒体の空き容量に関する情報を振り分け部が媒体情報として用いることを特徴とする。
請求項１２の発明は、請求項１０の電子カメラにおいて、記録媒体にデータが書き込まれる際の書き込み速度に関する情報を振り分け部が媒体情報として用いることを特徴とする。
【００１１】
請求項１３の発明は、請求項１０の電子カメラにおいて、記録媒体にデータが書き込まれる際の消費電力に関する情報を振り分け部が媒体情報として用いることを特徴とする。
請求項１４の発明は、請求項１０〜請求項１３のいずれかの電子カメラにおいて、画像データの撮像時に設定される画像データの記録画素数と圧縮率の内少なくとも一方に基づいて、振り分け部が画像サイズ情報を設定することを特徴とする。
【００１２】
請求項１５の発明は、請求項１０〜請求項１３のいずれかの電子カメラにおいて、記録の対象となる画像データのデータ量を振り分け部が画像サイズ情報として用いることを特徴とする。
【発明の効果】
【００１３】
本発明では、電子カメラの設定に関する情報に基づいて、或いは、画像データの評価指標に基づいて、或いは、被写体の状態に関する情報に基づいて、或いは、記録媒体の状態または属性に関する媒体情報と画像サイズ情報とに基づいて、画像データの記録先を振り分け部が自動的に決定する。従って、複数の記録媒体を装填可能な電子カメラにおいて、画像の種類または用途に応じた記録先の振り分けを自動的且つ適切に行うことができる。
【発明を実施するための最良の形態】
【００１４】
以下、図面を用いて本発明の実施の形態を説明する。
＜第１の実施形態＞
図１は、本発明の第１の実施形態における電子カメラの概略構成図である。本実施形態は、請求項１〜請求項９に対応する。図に示すように、電子カメラ８は、交換可能な撮影レンズ１２と、クイックリターンミラー１４と、シャッタ１６と、観察光学系１８と、撮像素子２０と、アナログ信号処理部２４と、閃光装置２６と、Ａ／Ｄ変換部２８と、タイミングジェネレータ３２と、焦点検出部３４と、測光部３６と、測色部３８と、角速度検出部４０と、操作部４２と、ＣＰＵ４４と、システムバス４８と、メモリ５２と、画像処理部５６と、振り分け記録部６０と、不図示の２つのカードスロットにそれぞれ装填されたカード型記録媒体７０Ａ、７０Ｂと、モニタ制御部７４と、液晶モニタ７８とを有している。
【００１５】
撮影レンズ１２は、ピントを合わせる合焦用レンズ８８と、画角を調節するズーム用レンズ９０と、移動したレンズの位置を検出するエンコーダ９２と、透過光量を調節する絞り９４と、レンズや絞り９４を駆動する駆動モータ９６と、レンズＣＰＵ９８とを有している。
角速度検出部４０は、撮影時において縦方向と横方向の電子カメラ８の揺れをそれぞれ角速度として検出して、ＣＰＵ４４に伝達する。ＣＰＵ４４は、伝達された角速度に基づいて、撮影レンズ１２内の不図示の手振れ補正レンズを調整して光学的手振れ補正を行う。なお、角速度検出部４０や手振れ補正レンズを省いて、電子的手振れ補正にしてもよい。電子的手振れ補正の場合、撮影時には、撮像素子２０の結像面上での像の位置がＣＰＵ４４に伝達される。そして、この像の位置に応じて、撮像素子２０からの読み出し範囲を変えることで、手振れを補正する。
【００１６】
操作部４２は、電源釦、撮影モード選択釦、振り分けモード選択釦、撮影条件入力用釦、レリーズ釦などの操作用釦群を有している（図示せず）。
ＣＰＵ４４は、電子カメラ８のシステム制御を行う。
また、電子カメラ８は、撮影日時、撮影時刻の情報をＣＰＵに伝達するタイマ（図示せず）を有している。
【００１７】
電子カメラ８は、撮影モードとして、ポートレートモードと、花火モードと、風景モードと、スポーツモードと、白黒コピーモードと、接写モードとを有している。
ポートレートモードでは、人物配置用の枠が観察光学系１８上の観察像に重畳して表示され、絞り９４が開放にされ、撮像後におけるホワイトバランスの調整処理は肌色重視に設定される。
【００１８】
花火モードでは、無限遠でピントが合うように撮影レンズ１２が駆動され、シャッタスピードはやや遅めに設定され、閃光装置は強制発光に設定される。
風景モードでは、空や緑系の色の見栄えがよくなるようにホワイトバランスが設定され、露出条件の演算に対する寄与率が画像上部の空に偏りすぎないように（画像下部も適正露出になるように）設定される。
【００１９】
スポーツモードでは、シャッタスピードが速く設定され、レリーズタイムラグが短くなるように制御され、連写撮影が行われ、閃光装置２６は発光しない。
白黒コピーモードでは、白い背景内の文字がくっきり写るように設定され、撮像素子２０から得られる赤、青、緑の３原色の画像信号から輝度成分のみが生成される。
接写モードでは、合焦用レンズ８８の駆動範囲が広くされる。
【００２０】
また、電子カメラ８は、露出設定モードとして、シャッタスピード優先モードと、絞り優先モードと、オートモードと、マニュアルモードとを有している。シャッタスピード優先モードでは、ユーザが設定したシャッタスピード（露光時間）に基づいて、シャッタスピード以外の露出条件をＣＰＵ４４が適切に設定する。なお、本明細書での露出条件は、シャッタスピード、撮像感度（撮像素子２０のＩＳＯ値）、絞り値、閃光装置２６による発光の有無（発光する場合は発光量も含む）である。絞り優先モードでは、ユーザが設定した絞り値に基づいて、絞り値以外の露出条件をＣＰＵ４４が適切に設定する。オートモードでは、全ての露出条件をＣＰＵ４４が適切に設定する。マニュアルモードでは、ユーザが設定した露出条件に基づいて撮影が行われる。
【００２１】
さらに、電子カメラ８は、画像データの記録先の決定手段として第１〜第２２の振り分けモードを有している。即ち、振り分け記録部６０は、設定された振り分けモードに応じた別々の方法で、カード型記録媒体７０Ａ、７０Ｂのどちらに画像データを記録するかを自動的且つ適切に決定する。これが本実施形態の主な特徴であり、振り分けモードは、操作部４２の振り分けモード選択釦により選択可能である。
【００２２】
各振り分けモードでは、振り分け記録部６０は、『撮影時における電子カメラ８の設定状態』、『画像データの評価指標』、『撮影時における被写体の状態に関する情報』などを判断基準として、カード型記録媒体７０Ａ、７０Ｂのどちらに画像データを記録するかを決定する。
『撮影時における電子カメラ８の設定状態』は、以下の３つを指す。１つは、撮影時に電子カメラ８内のタイマ（図示せず）が示す時間情報または曜日である。１つは、撮像後の画像データに対する画像処理方法（画像サイズを含まない）であり、静止画撮影用に撮像素子２０が露光される前に設定されているものである。１つは、撮影条件から、『撮影時における被写体の状態に関する情報』を除いたものである。
【００２３】
本明細書での撮影条件は、撮影レンズ１２の種類、画角（撮影レンズ１２のズーム位置）、撮影距離（合焦用レンズ８８の位置から判定可能）、ＡＦエリア（撮影時に、どの領域にピントを合わせていたか）、被写体を照明する光源の色温度、被写体輝度、露出条件等である。撮影条件の内、色温度と被写体輝度は、『撮影時における被写体の状態に関する情報』である。
【００２４】
なお、前述の６つの撮影モードのいずれかに設定すれば、撮影条件の一部や画像処理方法は自動的に設定される。
『画像データの評価指標』は、画像データが示す画像の色相、画像データが示す画像のコントラスト値、画像データの圧縮後のデータ量、撮影時に角速度検出部４０が検出する角速度等である。手振れの程度を示す角速度を『画像データの評価指標』とする理由は、手振れが大きいほどボケ具合が大きくなると考えられるからである。なお、本実施形態のような光学的手振れ補正ではなく、電子的手振れ補正の場合、撮影の瞬間における結像面上での像の位置が画像データの評価指標に対応する。
【００２５】
また、電子カメラ８は、撮影モード、振り分けモード、露出条件、画素処理方法等の種々の設定情報の組み合わせをカスタム設定として記憶可能である。即ち、種々の設定情報の組み合わせは何通りもあるので、それぞれを第１、第２、第３・・・のカスタム設定として記憶可能である。
図２は、本実施形態の電子カメラ８の動作を示す流れ図である。以下、図に示すステップ番号に従って、電子カメラ８の動作を説明する。
【００２６】
［ステップＳ１］電子カメラ８の電源釦がオンされると、電源オン処理が行われる。ＣＰＵ４４は、レンズＣＰＵ９８と交信して撮影レンズ１２の種類を取得する。また、ユーザは、操作部４２の釦群を操作して、撮影モード、露出条件などの設定や、第１〜第２２振り分けモードのいずれかの選択が可能である。また、ユーザは、撮像後の画像データに対する記録画素数の設定や、撮像後の画像データを記録する際の圧縮率の選択が可能である。圧縮率は例えば、低圧縮（データ量を例えば約１／４に圧縮）、中圧縮（データ量を例えば約１／８に圧縮）、高圧縮（データ量を例えば約１／１６に圧縮）から選択可能である。
【００２７】
［ステップＳ２］撮像素子２０は、露光されて電荷の蓄積及び排出を繰り返し、動画用の画像信号を所定のフレームレートで連続的に出力する。アナログ信号処理部２４及びＡ／Ｄ変換部２８は、この画像信号にクランプ処理、Ａ／Ｄ変換などを施し、動画用の画像データを生成する。動画用の画像データは、通常、間引き読み出しにより、全有効画素の内の一部の画素の画素値で構成される。また、この画像データは、画像処理部５６によりカラープロセス処理等が施された後、液晶モニタ７８に動画表示される。
【００２８】
［ステップＳ３］レリーズ釦が半押しされた後、測光部３６は、被写体輝度を測光してＣＰＵ４４に伝達する。また、測色部３８は被写体を照明している光源の色温度を測定してＣＰＵ４４に伝達する。ＣＰＵ４４は、被写体輝度等に基づいて露出条件を決定する。なお、測色部３８がない構成では、色温度は撮影により得られる画像データから求めてもよい。
【００２９】
［ステップＳ４］レリーズ釦の全押しに同期して、設定された撮影条件で公知の動作により静止画撮影が行われる。即ち、シャッタ１６が駆動され、設定されたシャッタスピードで撮像素子２０は露光される。撮像素子２０の全有効画素の画素出力は、クランプ処理、Ａ／Ｄ変換などが施された後、Ａ／Ｄ変換部２８から静止画の画像データとして出力される。生成された画像データには、ホワイトバランス調整、色補間、色補正、輪郭強調処理、ガンマ補正、画像圧縮等の処理が施される。なお、本実施形態では画像圧縮にＪＰＥＧ圧縮を用いる例を説明するが、他の圧縮方法でもよい。また、ＣＰＵ４４は、『撮影時における電子カメラ８の設定状態の情報』、及び『撮影時における被写体の状態に関する情報』を、後述のステップＳ７までは消去せずに記憶しておく。
【００３０】
ここで、静止画用に撮像素子２０を露光する前のステップＳ１で記録画素数を設定可能にしたが、ステップＳ１でそれらが設定されない場合、露光後であるこのステップＳ４で設定してもよい。例えば、撮像素子２０の画素出力にＡ／Ｄ変換、ホワイトバランス調整、色補間等の表示に必要な画像処理を施した後、この画像を液晶モニタ７８に表示し、この表示と共に、記録画素数や圧縮率の選択を促す表示を出力して、それらを選択させてもよい。
【００３１】
なお、スポーツモードに設定されている場合には、上記のように全有効画素の画素出力を用いる静止画撮影ではなく、間引き読み出しによる連写撮影が行われる。
［ステップＳ５］振り分け記録部６０は、ＣＰＵ４４から、記録先の決定に必要な情報、即ち、何によって記録先を振り分けるかの情報を読み込む。何によって記録先を振り分けるかは、以下のステップＳ６で説明するように、各振り分けモード毎に異なる。
【００３２】
［ステップＳ６］振り分け記録部６０は、読み込んだ情報と、設定された振り分けモードとに応じて、カード型記録媒体７０Ａ、７０Ｂのどちらに画像データを記録するかを決定する。以下、各振り分けモード毎に、振り分け記録部６０による記録先の決定方法を説明する。
（１）第１振り分けモードに設定されている場合、振り分け記録部６０は、タイマが示す日付に基づいて、撮影時の曜日が平日か否かを判定する。平日であればカード型記録媒体７０Ａへの記録を決定し、平日でなければカード型記録媒体７０Ｂへの記録を決定する。なお、平日であればカード型記録媒体７０Ｂに記録し、平日でなければカード型記録媒体７０Ａへ記録するように決定してもよい。判定結果が肯定的であればどちらに記録するかは、操作部４２の釦によりステップＳ１でユーザが予め選択してもよく、以下、カード型記録媒体の符号７０Ａ、７０Ｂは適宜省略する（他の振り分けモードでも同様）。
【００３３】
（２）第２振り分けモードに設定されている場合、振り分け記録部６０は、タイマが示す時刻に基づいて、撮影時が特定時間帯に含まれるか否かを判定する。特定時間帯に含まれる場合、一方のカード型記録媒体への記録を決定し、含まれない場合、他方への記録を決定する。ここでの特定時間は、例えばステップＳ１でユーザに選択させておけばよい。
（３）第３振り分けモードに設定されている場合、振り分け記録部６０は、タイマが示す日付及び時刻に基づいて、撮影時が日照時間帯に含まれるか否かを判定する。日照時間帯に含まれる場合、一方のカード型記録媒体への記録を決定し、含まれない場合、他方への記録を決定する。なお、撮影地域によって日照時間は若干異なるので、例えば小型のＧＰＳ（Global Positioning System）を搭載しておき、撮影地域と、日付及び時刻とに基づいて日照時間帯に含まれるか否かを判定してもよい。
【００３４】
（４）第４振り分けモードに設定されている場合、振り分け記録部６０は、撮影モードによって記録先を決定する。予め選択された特定の撮影モードで撮影が行われた場合には一方のカード型記録媒体への記録を決定し、そうでない場合には他方への記録を決定する。ここでの特定の撮影モードは、例えばステップＳ１においてポートレートモード、花火モード、風景モード、スポーツモード、白黒コピーモード、接写モードの少なくともいずれか（全ての場合は含まない）をユーザに選択させておけばよい。
【００３５】
（５）第５振り分けモードに設定されている場合、振り分け記録部６０は、露出設定モードによって記録先を決定する。予め選択された特定の露出設定モードで撮影が行われた場合には一方のカード型記録媒体への記録を決定し、そうでない場合には他方への記録を決定する。ここでの特定の露出設定モードは、例えばステップＳ１においてシャッタスピード優先モード、絞り優先モード、オートモード、マニュアルモードの少なくともいずれか（全ての場合は含まない）をユーザに選択させておけばよい。
【００３６】
（６）第６振り分けモードに設定されている場合、振り分け記録部６０は、撮影時において電子カメラ８がカスタム設定を用いた状態であったか否かを判定する。カスタム設定を用いた状態であった場合、一方のカード型記録媒体への記録を決定し、そうでない場合、他方への記録を決定する。なお、ユーザが選択した特定のカスタム設定で撮影が行われた場合には一方のカード型記録媒体への記録を決定し、それ以外のカスタム設定で撮影が行われた場合には他方への記録を決定するようにしてもよい。ここでの特定のカスタム設定は、例えばステップＳ１でユーザに選択させればよい。
【００３７】
（７）第７振り分けモードに設定されている場合、振り分け記録部６０は、撮影レンズ１２の種類によって記録先を決定する。例えば、撮影レンズ１２が特定のものであれば一方のカード型記録媒体への記録を決定し、特定のものでなければ他方への記録を決定する。特定の撮影レンズは、例えばステップＳ１でユーザに選択させればよい。
（８）第８振り分けモードに設定されている場合、振り分け記録部６０は、撮影時における撮影レンズ１２のズーム位置によって記録先を決定する。例えば、ズーム位置が広角側であれば一方のカード型記録媒体への記録を決定し、望遠側であれば他方への記録を決定する。
【００３８】
（９）第９振り分けモードに設定されている場合、振り分け記録部６０は、絞り値によって記録先を決定する。例えば絞り９４が開放であれば一方のカード型記録媒体への記録を決定し、そうでなければ他方への記録を決定する。
（１０）第１０振り分けモードに設定されている場合、振り分け記録部６０は、絞り値が特定の値に設定されていれば一方のカード型記録媒体への記録を決定し、そうでなければ他方への記録を決定する。ここでの特定の絞り値としては、例えば撮影レンズ１２の性能が最もよくなる値を、撮影レンズ１２の種類毎にテーブルデータのような形式でＣＰＵ４４に予め記憶させておけばよい。或いは、ステップＳ１でユーザに選択させてもよい。
【００３９】
（１１）第１１振り分けモードに設定されている場合、振り分け記録部６０は、実際の撮影距離によって記録先を決定する。ここでの撮影距離は、ピントを合わせている被写体と電子カメラ８との距離であり、ピントが合った状態においてエンコーダ９２が出力するレンズ位置から判定可能である。なお、三角測距法等の別の方法で求めてもよい。そして、撮影距離が所定値以下であれば一方のカード型記録媒体への記録を決定し、そうでなければ他方への記録を決定する。
【００４０】
（１２）第１２振り分けモードに設定されている場合、振り分け記録部６０は、撮影モードから推定されるおおよその撮影距離によって記録先を決定する。本実施形態では一例として、花火モードまたは風景モードに設定されていれば、遠距離と推定されるので一方のカード型記録媒体への記録を決定し、そうでなければ他方への記録を決定する。なお、接写モードまたは白黒コピーモードに設定されていれば、近距離と推定されるので一方のカード型記録媒体への記録を決定し、そうでなければ他方への記録を決定するようにしてもよい。
【００４１】
（１３）第１３振り分けモードに設定されている場合、振り分け記録部６０は、ＡＦエリアによって記録先を決定する。例えばＡＦエリアが中央部であれば一方のカード型記録媒体への記録を決定し、そうでない場合には他方への記録を決定する。或いは、ＡＦエリアがＣＰＵ４４により自動的に設定されたものであれば一方のカード型記録媒体への記録を決定し、ＡＦエリアがユーザにより設定されたものであれば他方への記録を決定する。
【００４２】
（１４）第１４振り分けモードに設定されている場合、振り分け記録部６０は、撮像素子２０のＩＳＯ値によって記録先を決定する。例えばＩＳＯ値が１００以下であれば一方のカード型記録媒体への記録を決定し、そうでなければ他方への記録を決定する。或いは、ＩＳＯ値がＣＰＵ４４により設定されたものであれば一方のカード型記録媒体への記録を決定し、ユーザが設定したものであれば他方への記録を決定してもよい。
【００４３】
（１５）第１５振り分けモードに設定されている場合、振り分け記録部６０は、撮影時の閃光装置２６の発光の有無を判定する。発光が行われた場合、一方のカード型記録媒体への記録を決定し、そうでない場合、他方への記録を決定する。
（１６）第１６振り分けモードは、露出設定モードがマニュアルモード以外に設定されている場合、即ち、露出条件の少なくともいずれかがＣＰＵ４４により決定される場合を対象とする。第１６振り分けモードでは、振り分け記録部６０は、ＣＰＵ４４が決定した露出条件がユーザにより補正されたか否かによって振り分ける。補正された露出条件で撮影された場合には一方のカード型記録媒体への記録を決定し、そうでない場合には他方への記録を決定する。
【００４４】
（１７）第１７振り分けモードは、同じ被写体に対して、条件を変えて撮影する場合を対象とする。シャッタスピードが所定値より早い場合には、一方のカード型記録媒体への記録を決定し、そうでない場合には他方への記録を決定する。なお、ＣＰＵ４４により設定されたシャッタスピードをユーザが補正して撮影した場合には一方に記録し、そうでない場合には他方に記録するようにしてもよい。
【００４５】
（１８）第１８振り分けモードに設定されている場合、振り分け記録部６０は、画像処理部５６に指令して、ステップＳ４で生成した画像データの平均色相を判定させる。ここでの色相は、画像全体の平均色相でもよいし、画像の中央部のみの平均色相でもよいし、ＡＦエリアに対応する領域の平均色相でもよい。振り分け記録部６０は、画像処理部５６が判定した色相によって記録先を決定する。例えば、色相が青に近ければ一方のカード型記録媒体への記録を決定し、そうでなければ他方への記録を決定する。
【００４６】
（１９）第１９振り分けモードに設定されている場合、振り分け記録部６０は、画像処理部５６に指令して、ステップＳ４で生成した画像データのコントラスト値を求めさせる。ここでのコントラスト値は、画像データが表す画像の鮮鋭性を示し、画像全体の平均的なコントラスト値でもよいし、ＡＦエリアに対応する領域のコントラスト値でもよい。振り分け記録部６０は、コントラスト値が所定値以上であれば、成功写真と判断されるので一方のカード型記録媒体への記録を決定し、そうでなければ、ピンボケ写真と判断されるので他方への記録を決定する。
【００４７】
（２０）第２０振り分けモードに設定されている場合、振り分け記録部６０は、撮影時に角速度検出部４０が検出した角速度によって記録先を決定する。例えば、縦方向と横方向の角速度の少なくともいずれかが所定値以上であれば、成功写真と推定されるので一方のカード型記録媒体への記録を決定し、そうでなければ、ピンボケ写真と推定されるので他方への記録を決定する。
【００４８】
なお、本実施形態のような光学的手振れ補正ではなく、電子的手振れ補正の場合、振り分け記録部６０は、撮影時における撮像素子２０の結像面上での像の位置をＣＰＵ４４から取得すればよい。そして、この像の位置と、手振れがない場合の像の位置との間隔が所定値以上の場合、一方のカード型記録媒体への記録を決定し、そうでなければ、他方への記録を決定すればよい。
【００４９】
（２１）第２１振り分けモードに設定されている場合、振り分け記録部６０は、画像圧縮後における画像データのデータ量（バイト数）によって記録先を決定する。画素数が同じでバイト数が多ければ、成功写真と判断でき、バイト数が少なければピンボケ写真と判断できる。なぜなら、ピントが合っている画像ほど、高周波成分が多いので、ＪＰＥＧ圧縮において生成される符号量は多くなり、データ量は多くなるからである。従って、データ量が所定値以上であれば一方のカード型記録媒体への記録を決定し、そうでなければ他方への記録を決定する。
【００５０】
（２２）第２２振り分けモードに設定されている場合、振り分け記録部６０は、撮影時における光源の色温度によって記録先を決定する。例えば、色温度が４０００Ｋ（室内撮影と判断可能）であれば、一方のカード型記録媒体への記録を決定し、そうでなければ、他方への記録を決定する。
［ステップＳ７］振り分け記録部６０は、ステップＳ６で決定した方のカード型記録媒体に、画像データを記録する。そして、画像データと共に、振り分けの判断基準としてステップＳ５で読み込んだ情報を付帯情報として画像のＪＰＥＧファイルのヘッダ部分に記録する。例えば、第１振り分けモードであれば撮影時の曜日を記録し、第１３振り分けモードであればＡＦエリアをどこに設定したかを記録する。なお、絞り値や撮像感度等は、撮影条件として、現行の電子カメラでも画像のＪＰＥＧファイルのヘッダ部分に記録するものがあるので、重複する場合は、振り分け条件としては記録せずに撮影条件として記録しておけばよい。以上が本実施形態の電子カメラ８の動作説明である。
【００５１】
このように第１〜第１７振り分けモードでは撮影時の電子カメラ８の設定に基づいて、第１８〜第２１振り分けモードでは色相やコントラスト値等の画像データの評価指標に基づいて、第２２振り分けモードでは色温度に基づいて、画像データの記録先を電子カメラ８が自動的に振り分ける。このため、どちらのカード型記録媒体に記録するかを、記録の都度ユーザが選択する必要はない。
【００５２】
従って、ユーザの操作負担は軽減される。また、同じ用途の複数の画像が複数のカード型記録媒体に分散して記録されることを防止できる。この結果、カード型記録媒体別に内部の画像データの種類を把握できるので、ユーザは、カード型記録媒体の画像データの中身を、認識しやすくなる。即ち、どのカード型記録媒体にどの画像を記録したかを探す手間が少なくなり、画像の整理が容易になる。
【００５３】
特に、第１振り分けモードでは、平日か否かで記録先を振り分ける。ユーザによっては、平日に撮影した画像は勤務時間帯に記録した仕事上のものが多く、土曜及び祝日の画像はプライベート画像が多い場合がある。従って、自宅のコンピュータにはプライベートな画像を記録した方のカード型記録媒体を接続し、会社のコンピュータには仕事上の画像を記録したカード型記録媒体を用いるといったことが可能になる。この結果、電子カメラは１つしかなくてもカード型記録媒体が複数あれば、公私の切り分けが容易になる。
【００５４】
第２振り分けモードでも、勤務時間帯（例えば９時〜１７時）を特定時間帯として入力しておくことで、第１振り分けモードと同様の効果が得られる。また、例えば宴会等が多い時間帯と考えられる１８時〜２１時等の時間帯を特定時間として入力しておくことで、特定の行事に関する画像のみを区別して記録できる。
第３振り分けモードでは、タイマが示す日付及び時刻に基づいて日照時間帯か否かを正確に判定した上で、日照時間帯の画像を区別して記録できる。日照時間帯の画像は比較的明るいものが多いと考えられ、そのような画像を区別して記録できる。
【００５５】
第４振り分けモードでは、撮影モードによって記録先を自動的に振り分けることができる。従って、例えば家族で花火に行った場合、花火モードで撮られる花火の写真と、花火モード以外のモードで撮られる家族の集合写真とを別々にできる。
第５振り分けモードでは、露出設定モードによって記録先を自動的に振り分けることができる。
【００５６】
第６振り分けモードでは、カスタム設定を用いた状態であったか否か、或いは、特定のカスタム設定で撮影が行われたか否かによって記録先を自動的に振り分けることができる。
第７振り分けモードでは、撮影レンズ１２の種類によって記録先を自動的に振り分けることができる。
【００５７】
第８振り分けモードでは、撮影時における撮影レンズ１２のズーム位置によって記録先を自動的に振り分けることができる。
第９振り分けモードでは、絞り９４が開放であるものを別に記録する。これは、絞りを開放することで、被写界深度を浅くしてピントの合っている部分を強調し、雰囲気を出す撮影も多いからである。従って、そのように意図的に雰囲気を演出した画像と、そうでないものとを自動的に振り分けることができる。
【００５８】
第１０振り分けモードでは、特定の絞り値で撮影されたか否かによって記録先を自動的に振り分けることができる。撮影レンズ１２の光学的性能は、絞り値によって若干変わるので、例えば撮影レンズ１２の性能が最もよくなると考えられる絞り値での撮像画像を別に記録できる。
第１１、及び第１２振り分けモードでは、撮影距離によって記録先を自動的に振り分けることができる。
【００５９】
第１３振り分けモードでは、ＡＦエリアによって記録先を自動的に振り分けることができる。特にユーザがＡＦエリアを選択する場合、主要被写体のみにピントを合わせることも多いと考えられ、画像における主要被写体の位置によって振り分けることとほぼ等価である。
第１４振り分けモードでは、撮像素子２０のＩＳＯ値が所定値以上か否かによって記録先を自動的に振り分けることができる。或いは、一方にはユーザが意図した撮像感度で撮影された画像データのみを記録し、他方には電子カメラの自動露出設定でいろいろと変更された撮像感度で撮影された画像データを記録することができる。
【００６０】
第１５振り分けモードでは、撮影時の閃光装置２６の発光の有無によって記録先を自動的に振り分けることができる。バウンス撮影にしない場合は特に、発光の有無は、撮像後にフォトレタッチを行う必要があるかないかの判断基準になり得るので、発光の有無による振り分けは、ユーザが区別したい条件に適う場合がある。
第１６振り分けモードでは、ＣＰＵ４４により決定された露出条件がユーザにより補正されたか否かによって記録先を自動的に振り分けることができる。
【００６１】
第１７振り分けモードでは、同じ被写体に対して条件を変えて撮影した複数の画像を区別して記録できる。本実施形態では一例としてシャッタスピードを判断基準としたが、シャッタスピードが所定値より早いものは、手振れを少なくした予備的な画像である場合も多く、そのような画像を正規の画像とは区別して記録できる。
第１８振り分けモードでは、画像の色相によって記録先を自動的に振り分けることができる。
【００６２】
第１９〜第２１振り分けモードでは、それぞれコントラスト値、角速度、画像データのデータ量に基づいて、成功写真かピンボケ写真かを判定する。このため、成功写真かピンボケ写真かを客観的且つ正確に判定できる。従って、ユーザは、撮像した画像を表示させて成功画像かピンボケ画像かを判別する必要はない。また、ピンボケ画像のみを別の記録先に記録することができる。このため、失敗写真が記録される方のカード型記録媒体は、おおざっぱに見て得るべきものがなければ一括してフォーマットすることなどが可能である。
【００６３】
第２２振り分けモードでは、光源の色温度によって記録先を自動的に振り分けることができる。これは、ホワイトバランス調整の条件（赤、緑、青の画像信号にそれぞれ乗じるホワイトバランスゲインＷｒ、Ｗｇ、Ｗｂの組み合わせ）によって記録先を自動的に振り分けることと等価である。また、例えば色温度４０００Ｋ近辺を境に振り分ければ、室内撮影か屋外撮影かによって記録先を振り分け可能である。
【００６４】
＜第２の実施形態＞
次に、請求項１０〜請求項１５に対応する第２の実施形態を説明する。第２の実施形態と第１の実施形態との主な違いは、記録先を決定する振り分け記録部６０やＣＰＵ４４の演算機能のみである。従って、構成図を省略し、第１の実施形態と同一要素には同一符号を付し、違いのみを説明する。
【００６５】
図３は、第２の実施形態における電子カメラ８の動作の流れ図である。以下、図に示すステップ番号に従って、電子カメラ８の動作を説明する。なお、ステップＳ２２、Ｓ２３、Ｓ２４、Ｓ２８は、第１の実施形態のステップＳ２、Ｓ３、Ｓ４、Ｓ７とそれぞれ同様であるので、ステップＳ２１、Ｓ２５、Ｓ２６、Ｓ２７のみを説明する。
［ステップＳ２１］本実施形態では第２３〜第２５振り分けモードのいずれかを選択可能であることを除き、第１の実施形態のステップＳ１と同様である。
【００６６】
［ステップＳ２５］振り分け記録部６０は、設定された振り分けモードに応じて、カード型記録媒体７０Ａ、７０Ｂにアクセスして必要な情報を取得する。
第２３振り分けモードでは、振り分け記録部６０は、カード型記録媒体７０Ａ、７０Ｂの空き容量をそれぞれ取得する。
第２４、第２５振り分けモードでは、振り分け記録部６０は、カード型記録媒体７０Ａ、７０Ｂの種類（機種）をそれぞれ取得する。第２４振り分けモードでは、振り分け記録部６０は、予め記憶しているカードの機種と、書き込み速度とを対応させたテーブルデータを参照して、それぞれに対する書き込み速度を判断する。第２５振り分けモードでは、振り分け記録部６０は、カードの機種と、書き込みの際の消費電力とを対応させたテーブルデータを参照して、それぞれに対する消費電力を判断する。
【００６７】
なお、テーブルデータは出荷時等に振り分け記録部６０に予め記憶させておけばよいが、新規格の記録媒体の場合、テーブルデータを参照しても書き込み速度や消費電力が分からない。そのような場合、テスト書き込みを行い、それに要する時間、或いはそれによるバッテリーの電圧降下分を測ることで、書き込み速度、或いは消費電力を判定後、テスト書き込みしたデータを消去すればよい。また、カード型記録媒体の種類を取得可能か否かに拘らずテスト書き込みを行い、書き込み速度、消費電力を正確に判定してもよい。
【００６８】
［ステップＳ２６］振り分け記録部６０は、記録する際の画像サイズの情報をＣＰＵ４４から読み込む。画像サイズとして読み込む情報は、記録画素数でもよいし、圧縮後の実際のデータ量でもよい。なお、本実施形態ではステップＳ２４で画像圧縮を行うが、ステップＳ２４では行わずに後述するステップＳ２８での記録前に画像圧縮を行ってもよく、その場合、このステップＳ２６では圧縮後のデータ量は確定していない、その場合、画像サイズは、記録画素数と圧縮率とから予測される圧縮後のデータ量で判断してもよい。圧縮後のデータ量は、記録画素数に圧縮率を乗じた値にほぼ比例するので、圧縮前でもある程度の精度で予測可能である。
【００６９】
［ステップＳ２７］振り分け記録部６０は、カード型記録媒体７０Ａ、７０Ｂの情報と、画像サイズと、設定された振り分けモードとに応じて、画像データの記録先を決定する。
第２３振り分けモードでは、画像サイズが所定値以上であれば、空き容量が多い方のカード型記録媒体への記録を決定し、画像サイズが所定値未満であれば他方への記録を決定する。
【００７０】
第２４振り分けモードでは、画像サイズが所定値以上であれば、書き込み速度が速い方のカード型記録媒体への記録を決定し、画像サイズが所定値未満であれば他方への記録を決定する。
第２５振り分けモードでは、画像サイズが所定値以上であれば、消費電力が小さい方のカード型記録媒体への記録を決定し、画像サイズが所定値未満であれば他方への記録を決定する。
【００７１】
なお、上記第２３、第２４、第２５振り分けモードにおいて、画像サイズは、圧縮率のみで判断してもよい。即ち、圧縮率が低圧縮に設定されていれば、データ量は多いと考えられるので、空き容量が多い方、または、書き込み速度が速い方、または、消費電力が小さい方に記録し、圧縮率が低圧縮でなければ他方に記録するようにしてもよい。以上が第２の実施形態の動作説明である。
【００７２】
このように第２の実施形態においても、第１の実施形態と同様の効果を得ることができる。さらに、第２３振り分けモードでは、画像サイズが大きいもの（または、圧縮率が低く、データ量が多いと考えられるもの）は、空き容量が多い方のカード型記録媒体に記録する。従って、書き込みを開始後、書き込みが終了する前に、そのカード型記録媒体の空き領域がなくなるという不具合の可能性は少なくなる。
【００７３】
第２４振り分けモードでは、画像サイズが大きいもの（または圧縮率が低いもの）は、書き込み速度が速い方に記録する。従って、多数の画像データが記録される場合に、全体として記録に要する時間を短縮できるので、その分、電子カメラ８の動作速度が速くなる。
第２５振り分けモードでは、画像サイズが大きいもの（または圧縮率が低いもの）は、書き込みに要する消費電力が少ない方に自動的に記録する。従って、消費電力を低減できる。
【００７４】
＜本発明の補足事項＞
本発明による画像データの記録先の振り分け方法は、電子カメラ以外の電子機器にも適用可能である。
また、第１の実施形態の第１〜第２２振り分けモードと、第２の実施形態の第２３〜第２５振り分けモードとを合わせて選択可能にしてもよい。
【００７５】
１つの画像データを一方のカード型記録媒体のみに記録する例を述べたが、本発明は、かかる実施形態に限定されるものではない。例えば第２３振り分けモードにおいて双方の空き容量がほぼ同じで、どちらに記録すべきかの判定が困難な場合には、両方のカード型記録媒体に記録してもよいし、その旨の表示を出してユーザに選択させてもよい。
第１及び第２の実施形態では、２つの交換可能な（装填型である）カード型記録媒体に記録する例を述べたが、記録媒体はカード型でなくてもよい。また、内部の記憶媒体と、単数の装填型の記録媒体とに記録する形態でもよい。或いは、３つ以上の装填型の記録媒体に記録する形態でもよい。
【００７６】
第１の実施形態では、閃光装置２６が内蔵型である例を述べたが、外付け型の電子閃光装置と交信する形態でもよい。その場合、バウンス撮影にしたか否かによって記録先を振り分けてもよい。或いは、電子閃光装置の発光モード（ＴＴＬ測光モード、外部調光モード、マニュアル調光モード）によって振り分けてもよい。
第１及び第２の実施形態では、撮影の都度、即ち、画像データの生成の都度、記録する例を述べた。本発明は、かかる実施形態に限定されるものではない。撮像した複数の画像データをメモリ５２に一時的に記憶しておき、交換型の別の記録媒体（例えばコンピュータ）が接続された時点で、上述のように適切に記録先を決定して、記録を開始してもよい。
【００７７】
以下、請求項と実施形態との対応関係を説明する。なお、以下に示す対応関係は、参考のために示した一解釈であり、本発明を限定するものではない。
請求項記載の撮像部は、シャッタ１６、撮像素子２０、アナログ信号処理部２４、Ａ／Ｄ変換部２８、タイミングジェネレータ３２、焦点制御部３４と、これらに画像データを生成させるＣＰＵ４４の制御機能とに対応する。なお、撮像部による画像データの生成の動作の詳細は公知なので、詳細な説明を省略した。
【００７８】
請求項記載の記録部は、各振り分けモードに応じて決定した記録先に画像データを記録する振り分け記録部６０の機能に対応する。
請求項記載の振り分け部は、画像データの記録先を決定する振り分け記録部６０の機能に対応する。
第１８振り分けモードで判定する平均色相、第１９振り分けモードで判定するコントラスト値、第２０振り分けモードで取得する角速度、第２１振り分けモードで判定する画像データのデータ量は、請求項記載の画像データの評価指標の一例である。
【００７９】
第２２振り分けモードで取得する光源の色温度は、請求項記載の撮像時における前記被写体の状態に関する情報の一例である。被写体の状態に関する情報としては、測光部３６が取得する被写体輝度等も考えられる。第１の実施形態では挙げなかったが、被写体輝度が所定値以上か否かによって記録先を振り分けてもよい。
第２３振り分けモードで取得する空き容量は、請求項で言及している『記録媒体の状態に関する媒体情報』の一例である。
【００８０】
第２４、第２５振り分けモードで取得する書き込み速度、消費電力は、請求項で言及している『記録媒体の属性に関する媒体情報』の一例である。
請求項記載の画像サイズ情報は、撮像により生成された画像データに対する記録画素数、データ量、画像データに画像圧縮を施す際の圧縮率に対応する。
【産業上の利用可能性】
【００８１】
以上詳述したように本発明は、電子カメラの分野において大いに利用可能である。
【図面の簡単な説明】
【００８２】
【図１】本発明の第１の実施形態における電子カメラの概略構成図である。
【図２】第１の実施形態の電子カメラの動作を示す流れ図である。
【図３】本発明の第２の実施形態における電子カメラの動作を示す流れ図である。
【符号の説明】
【００８３】
８  電子カメラ
１２  撮影レンズ
１４  クイックリターンミラー
１６  シャッタ
１８  観察光学系
２０  撮像素子
２４  アナログ信号処理部
２６  閃光装置
２８  Ａ／Ｄ変換部
３２  タイミングジェネレータ
３４  焦点検出部
３６  測光部
３８  測色部
４０  角速度検出部
４２  操作部
４４  ＣＰＵ
４８  システムバス
５２  メモリ
５６  画像処理部
６０  振り分け記録部
７０Ａ、７０Ｂ  カード型記録媒体
７４  モニタ制御部
７８  液晶モニタ
８８  合焦用レンズ
９０  ズーム用レンズ
９２  エンコーダ
９４  絞り
９６  駆動モータ
９８  レンズＣＰＵ
【図１】
2006033268.tif 000003
【図２】
2006033268.tif 000004
【図３】
2006033268.tif 000005